(57)【特許請求の範囲】
【請求項１】
コークス炉団若しくはコークス炉列の水平の複数のコークス炉室（１）を、垂直方向に閉鎖可能な複数の炉ドア（２）によって閉鎖するための装置であって、
前記炉ドア（２）は、コークス炉室（１）の炉壁の一方のフロント側若しくは両方のフロント側に取り付けられており、
前記炉ドア（２）は、引っ張り装置（４）に結合されており、
該引っ張り装置（４）は端部側で、引っ張りアイ（６ａ）が取り付けられた操作レバー（６）に結合されており、
前記各炉ドア（２）の上方に転向ローラ（５）を設けてあり、該転向ローラによって、前記引っ張り装置（４）の引っ張りのために働く引っ張り力は、前記転向ローラ（５）を介して、前記引っ張り装置（４）の後続の経路内で水平な方向に向けられようになっている形式のものにおいて、
前記炉ドア（２）の上方で、レール（９）に少なくとも１つのつかみ車（８）を配置してあり、該つかみ車（８）は、両側に向けられたロープ（１０）を用いて水平の方向で、前記コークス炉列のドアを取り囲む炉壁の列に平行に走行可能であり、転向ローラ（５）は、つかみ車（８）のためのレール（９）の下方の走行レールに配置されており、
前記各炉ドア（２）の上方で引っ張り装置（４）の端部に設けられた操作レバー（６）の引っ張りアイ（６ａ）ひいては引っ張りアイ（６ａ）が取り付けられた操作レバー（６）が端部側に結合された引っ張り装置（４）は、前記つかみ車（８）に取り付けられていて下方に向けられた突起部（８ａ）に係合可能であり、その結果、前記引っ張り装置（４）は引っ張られ、若しくは負荷軽減され、かつ前記炉ドア（２）は前記つかみ車（８）の水平の走行運動により引き上げられ若しくは下ろすことができ、炉ドア（２）は、引っ張り装置（４）を介して前記つかみ車（８）によって上向きに、閉じられた位置から開いた位置に引っ張られ、重力作用によって再び閉じられた位置に下ろすことができ、
転向ローラ（５）も取り付けられている走行レールに、ドア開放機構（７）が配置されており、該ドア開放機構（７）は、作動時に、引っ張りアイ（６ａ）がつかみ車（８）の突起部（８ａ）に係合し、これによって、引っ張りアイ（６ａ）と突起部（８ａ）とが、炉ドア（２）に結合された引っ張り装置（４）を同時に引っ張ることができるように調整可能であることを特徴とする、水平のコークス炉室の閉鎖のための装置。
【請求項２】
引っ張り装置（４）はロープまたはチェーンである請求項１に記載の装置。
【請求項３】
ドア開放機構（７）は押圧ピンである請求項１または２に記載の装置。
【請求項４】
前記つかみ車（８）の下方でドア側の炉壁に沿って延びる走行レールに押圧ピン（７）を配置してあり、該押圧ピンを介して前記操作レバー（６）は作動され、かつ少なくとも１つの炉ドア（２）の上方において前記操作レバー（６）に結合された前記引っ張りアイ（６ａ）は、前記つかみ車（８）の突起部（８ａ）の係合若しくは係合解除のために適した位置に押し込み可能である請求項３に記載の装置。
【請求項５】
前記押圧ピン（７）は、前記つかみ車（８）の下方でドア側の炉壁に沿って延びる走行レール内に配置されており、かつ前記操作レバー（６）、ひいては前記引っ張りアイ（６ａ）及び前記炉ドア（２）を操作するように、位置決めすることができる請求項３または４に記載の装置。
【請求項６】
前記押圧ピン（７）は、ドア側の炉壁に沿った走行レールに設けられていて、前記操作レバー（６）及び、これに結合された前記引っ張りアイ（６ａ）を、前記炉ドア（２）が開かれた位置若しくは閉じられた位置に下ろされた後に、正確に解放できる長さを有する肉厚部として操作される請求項３から５のいずれか１項に記載の装置。
【請求項７】
前記つかみ車（８）を引っ張るための前記ロープ（１０）は、全炉列にわたって延びていて、すべての炉ドア（２）のための１つのローププーリ駆動部によって引っ張られ若しくは負荷軽減される請求項１から６のいずれか１項に記載の装置。
【請求項８】
前記ロープ（１０）若しくは前記ローププーリ駆動部若しくは前記つかみ車（８）は、ロープ引っ張り力測定装置を備えており、かつ前記つかみ車（８）は位置決定装置を備えており、その結果、前記つかみ車（８）は前記引っ張り装置（４）の引っ張りに際してロープ長さ及びロープ伸びに基づいて位置決めすることができる請求項７に記載の装置。
【請求項９】
ドア開放機構（７）は、前記引っ張りアイ（６ａ）の押し込みのために、手動機構を介して操作される請求項１から８のいずれか１項に記載の装置。
【請求項１０】
ドア開放機構（７）は、前記引っ張りアイ（６ａ）内への突起部（８ａ）の係合のために、電磁式の機構を介して操作される請求項１から８のいずれか１項に記載の装置。
【請求項１１】
炉（１）に拘束機構（１１）を配置してあり、該拘束機構（１１）は前記炉ドア（２）を開かれた位置に拘束する請求項１から１０のいずれか１項に記載の装置。
【請求項１２】
請求項１から１１のいずれか１項に記載の装置によってコークス炉列を運転する方法において、
作動に際して、ドア側の炉壁に沿って位置する走行レールに設けられたドア開放機構（７）、ひいては引っ張りアイ（６ａ）が取り付けられていて、引っ張り装置（４）の端部側に結合された操作レバー（６）を、予め規定された１つのコークス炉室（１）のために作動させ、
突起部（８ａ）を備えたつかみ車（８）を、ロープ（１０）によって、前記引っ張りアイ（６ａ）を備えた前記操作レバー（６）の上方で走行させ、
つかみ車（８）の下側の底部に設けられた突起部（８ａ）を、引っ張り装置（４）の端部側に結合された操作レバー（６）に取り付けられた引っ張りアイ（６ａ）に係合させ、かつ前記つかみ車（８）によって、これに結合された、端部側に操作レバー（６）が結合された引っ張り装置（４）を引っ張り、その結果、炉ドア（２）を開放し、
前記操作レバー（６）を押圧ピン（７）の非作動により炉ドア（２）の閉鎖のために再び解放し、
コークス炉ドア（２）を閉じた位置で押圧ピン（７）の後ろ側に係止する
ことを特徴とする、コークス炉列を運転する方法。
【請求項１３】
前記押圧ピン（７）は手動機構を介して作動される請求項１２に記載の方法。
【請求項１４】
前記押圧ピン（７）は電磁式の機構を介して作動される請求項１２に記載の方法。
【請求項１５】
前記電磁式の機構は、プログラム可能な論理制御装置を介して操作される請求項１４に記載の方法。
【請求項１６】
スタート位置へのつかみ車（８）の最適な位置決めのために、つかみ車（８）のスタート位置は、引っ張り力が引っ張るべき炉ドア（２）の重量の８０％であるところに位置していて、つかみ車（８）の位置測定によって、各炉ドア（２）の開放位置に相当する部位に正確に止まり、その結果、炉ドア（２）は、引っ張り装置（４）の長さが異なる際に、同じ高さに位置決めされる請求項１２から１５のいずれか１項に記載の方法。
【発明の詳細な説明】
【技術分野】
【０００１】
本発明は、水平のコークス炉室の静止型の複数のコークス炉ドアの垂直な開放及び閉鎖用の引っ張り力のための伝達装置に関する。該装置は、各炉のドアを制御し、開かれた位置でロックし、かつドアが開かれる装填工程若しくは清掃工程の終了の後に再び閉じた位置に移動させようとするものである。上記装置は、開放のために必要な引っ張り力を形成しかつ開放のために設けられた炉ドアに伝達する手段も含んでいる。上記装置は、炉ドアの開放時点及び開放時間を制御することができる制御装置も含んでいる。さらに、本発明は、炉ドアを制御しかつ必要に応じて開放若しくは閉鎖する方法にも関する。
【０００２】
最新のコークスプラント運転においては、炉室からのコークスケーキの押し出しは、コークス押し出し機を用いてコークス炉のフロント側でフロント壁を介して行われる。このために、炉の反対の側にもドアを設けてあり、該ドアは押し出し工程のために開かれる。本来の押し出し工程は、押圧ロッドを用いて行われ、該押圧ロッドによってコークスケーキは上記反対の側に配置されているコークス消火車内に押し込まれる。ドアは一般的に押し出しの時間にわたってのみ、かつ必要に応じて行われる清掃工程のためにのみ開かれる。このような工程の終了の後に、ドアは、炉列の熱損失をできるだけ小さく保つために、できるだけ短い時間で閉じられる。このような理由から、押し出し工程及びこれに伴う作業のために信頼の高いドア運動機構を提供する必要がある。
【０００３】
炉ドアを閉鎖するために種々の構造のドア及びドア閉鎖機構が用いられている。乾溜工程中にガス状若しくは蒸気状の分解物質を生成する通常のコークス炉においては、多くの場合に移動式の炉室ドアを用いるようになっており、蒸気分解物質はいわゆる副産物プラントで後処理される。コークス炉への石炭供給及びコークス排出のために用いられる石炭供給兼コークス押し出し用機械は、特殊なドアリフト装置を備えていて、ドアをコークス炉ドア用開口部から完全に引き出すようになっている。これによって開口部に対する良好なアクセスが得られる。開口部は、生成物や乾溜工程中に発生する汚染物質で汚れてしまう。最適なコークス炉密閉のために清掃を必要としており、清掃は予め規定された回数の乾溜サイクルの後に行われている。
【０００４】
乾溜工程中に形成されるガス状若しくは蒸気状の分解物質を燃焼のため、ひいてはプロセス熱のために利用する熱回収型若しくは非回収型のコークス炉においては、多くの場合に各コークス炉ドアに個別に取り付けられる定置型のドアリフト装置を用いている。熱回収型のコークス炉の場合には燃焼によって副産物は形成されないので、通常の運転中には、スペースを要する清掃プロセスは不要である。ドアリフト装置は、例えばロープ滑車装置若しくはチェーンを用いて油圧駆動装置によって作動される。次いでドアの閉鎖は重力によって行われる。ドアリフトを個別のドアリフト車によって行うことも可能であり、ドアリフト車は開放プロセスのために炉室に沿って走行させられる。
【０００５】
ドイツ連邦共和国特許出願公開第２７２０４６９Ａ１号明細書は、コークス炉の炉室ドアのためのリフト装置を開示しており、該リフト装置はドアの運動方向を出発方向及び下降運動においてカウンターによって記録するようになっており、その結果、開口部からの引き出し及び清掃工程の後のドアの正確な再取り付けが可能である。ドアは台車上に支持されており、台車はドア装置を受容していて、ローラ及びレールを介してドア装置全体をドア開口部から外側へ移動させ、次いで再びドア開口部内へ移動させる。駆動装置として油圧装置を用いてあり、油圧装置はコークス炉に沿っても、コークス炉に対して垂直方向にも運動させるようになっている。力伝達はリンク装置を介して行われる。炉ドア装置全体を炉から離れる方向に運動させるこのような構成は、特に通常のコークス炉に適している。
【０００６】
欧州特許出願公開第１３７３４３５Ａ１号明細書は、コークス炉の定置に組み込まれた炉ドアのリフトオフのための装置を開示している。開示の装置は、ドアのため若しくはコークス炉ドアのドアフレームのための作動装置を含んでいる。ドア若しくはコークス炉ドアフレームにドアリフトヘッドを接続してあり、ドアリフトヘッドは、作動運動のための駆動装置及びサクションフードを含んでいる。乾溜工程中の乾溜生成物の放出を避けるために、ドアリフトヘッドにシールエレメントを取り付けてあり、シールエレメントはコークス炉ドアの開放の際にドアエミッションのための吸引室を画成している。ドアは定置の駆動装置を介して移動される。該装置は特に熱回収型のコークス炉に適している。
【０００７】
上記装置は、コークス炉ドアの位置決め及び運動に関する課題を解決するものである。しかしながら上記装置には、多くのスペースを要し、かつ時間のかかるドア押し出し工程を必要とする欠点がある。炉操作機械にドア取り外し装置を取り付けてある場合には、乾溜サイクルのサイクル時間は長くなっており、それというのはドア取り外し装置は、機械が炉に相応に位置決めされた場合にしか用いられないからである。開閉のために各コークス炉へ走行するドアリフト機械は、炉端面壁と炉運転のための炉操作機械との間に、移動のためのスペースを必要としており、炉操作機械は作業員によって操作及び整備されるものである。定置のドアリフト機械は、コークス炉ドアの入口領域における移動装置の設置を必要としていて、広いスペース及び高い設置費用を伴うものである。
【０００８】
したがって、本発明の課題は、コークス炉列のドア閉鎖装置を確実に操作できる装置を提供することである。ドア閉鎖装置は、スペース及び設置費用をわずかにする必要がある。ドア閉鎖装置の保守はできるだけ簡単であるようにし、かつ各コークス炉の個別の制御を可能にする。さらにドア移動機構は、種々のドア形式に適するようにし、かつ汚染物や汚れの影響を受けにくくする。
【０００９】
本発明の上記課題は、ロープ若しくはチェーンに水平方向の引っ張り力を作用させ若しくはロープ若しくはチェーンを負荷軽減し、かつ引っ張り力を、転向ローラを介して垂直方向に各ドアに伝達する装置によって解決される。ロープは、水平の方向において端部で引っ張りアイに結合されている。この場合に、水平方向の引っ張り力はつかみ車によって形成され、つかみ車は、コークス炉の上方のレールに配置されていて、コークス炉の壁に沿って走行する。つかみ車は、コークス炉列の始端部のロープウインチを介して駆動される。各コークス炉ドアの制御は、つかみ車の下方の底部に設けられた引っ張り突起部を介して行われ、引っ張り突起部は、制御に応じてロープの端部の引っ張りアイ内に入り込む。引っ張りアイは、手動で操作される装置若しくは自動的に操作される装置を介してつかみ車の引っ張り突起部にフック係合するようになっていてよい。
【００１０】
装置は、さらにロープ引っ張り力の検出のための測定装置を含んでおり、測定装置は、つかみ車のための距離測定用の測定装置と組み合わされている。ロープ引っ張り力の値が予め規定された設定値に達した場合にはじめて、つかみ車のための距離測定は開始される。制御装置によってドアの重量、つかみ車の位置及びロープの引っ張り力から、つかみ車の最適な停止位置を算出し、その結果、ドアは装填及び清掃工程のために常に必要な開放高さを有する。このような構成により、ドアは、異なるロープ長さ若しくはロープ張力の場合にも開放の際に常に同一の高さに移動させることができる。
【００１１】
本発明に係る装置は、熱回収型のコークス炉にも、非回収型のコークス炉にも、また通常型のコークス炉にも適している。通常型のコークス炉における使用の場合には、汚れやすい傾向にあることが見込まれる。このような理由から、本発明に係る装置は、堆積物や堆積の防止のための構成を有していてもよい。
【００１２】
本発明に係る、特に、コークス炉団若しくはコークス炉列の水平の複数のコークス炉室を、垂直方向に閉鎖可能な複数の炉ドア（２）によって閉鎖するための装置において、
炉ドアは、水平に向けられた炉壁の１つ若しくは両方の側に取り付けられており、
炉ドアは、ロープ、若しくはチェーン、若しくは引っ張り装置に結合されており、該ロープ、若しくはチェーン、若しくは引っ張り装置によって炉ドアは、閉じられた位置から上方へ、開かれた位置に引っ張られ、かつ再び閉じられた位置に重力により移されるようになっている形式のものにおいて、
各炉ドアの上方に転向ローラを設けてあり、該転向ローラによって、ロープ若しくはチェーンの引っ張りのために働く引っ張り力は、転向ローラを介して、ロープ若しくはチェーンの後続の経路内で水平な方向に向けられようになっており、かつチェーンの端部に、引っ張りアイを備えた操作レバー若しくは結合部を配置してあり、
炉ドアの上方で、レールに少なくとも１つのつかみ車を配置してあり、該つかみ車は、両側に向けられたロープ滑車装置を用いて水平の方向で、コークス炉列のドアを取り囲む炉壁の並びに平行に運動させられるようになっており、
結合部若しくは操作レバーは、ロープの端部にある引っ張りアイでもって、各炉ドアの上方、ひいては前記ロープの上方で、つかみ車に取り付けられていて下方に向けられた突起部に係合しており、その結果、ロープは引っ張られ、若しくは負荷軽減され、かつ炉ドアはつかみ車の水平の走行運動により引き上げられ若しくは下ろすことができる。
【００１３】
各コークス炉列の制御を可能にするために、つかみ車の下側にグリップ突起部を取り付けてあり、グリップ突起部は、各コークス炉の個別の制御のために引っ張りアイに係合する。引っ張りアイは操作レバーに取り付けていて、適切な押圧ピンを介してグリップ突起部に係止される。制御装置のこのような形式は一般的に必要である。本発明に係る装置は、コークス炉ドアの上方に位置するレール上に１つ若しくは複数のつかみ車を備えていてよい。コークス炉列内に水平の１つのコークス炉室しか設けてない場合には、操作ピン及び操作レバーによる制御を省略することができ、かつドア開放機構をただ１つのつかみ車及び１つの引っ張りアイによって操作することができる。
【００１４】
押圧ピンは、電磁式に作動され、若しくは作動モータによって作動され、若しくは手動で作動されてよい。押圧ピンは、制御に際して次のように作動され、つまり、引っ張りアイをつかみ車のグリップ突起部内に押し込み、引っ張りアイは、ドアに結合されたロープ滑車装置を介して引っ張られる。
【００１５】
各コークス炉のために、操作装置は、引っ張りアイ及び１つの押圧ピンを備えている。押圧ピンは有利には、つかみ車の、ドア側の炉壁に沿って延びる走行レールに配置されている。しかしながら押圧ピンは、グリップ突起部内への引っ張りアイの係止を可能にするために、任意に位置決めされてよい。押圧ピンを作動させるための駆動機構も、操作レバーの応答、ひいてはグリップ突起部への引っ張りアイの係合を保証するかぎりにおいて任意に形成される。
【００１６】
有利には、押圧ピンは、ロープ滑車装置のための転向装置を含みかつつかみ車のための案内レールの下方に位置するレールに配置されている。このような構成により、押圧ピンのための追加的な保持装置の設置は不要になる。例えば、押圧ピンを、操作レバーの作動のために正確な位置に配置されるサスペンションレールの肉厚部（シックニング）として形成することができる。
【００１７】
装填及び清掃工程を実施するために、ドアをすべてのコークス炉列のために同一の高さに位置決めすることが有利である。このような構成により、清掃工程は標準化することができ、かつこれに必要な装置を改良して形成することができる。このために、ドアの異なる重量、部分的に異なるロープ長さ若しくは引っ張りロープのロープ応力を考慮する必要がある。これにより、ロープ長さ若しくはロープ伸びを補償することができる。
【００１８】
上記作用効果を得るために、本発明の態様によれば、ロープ引っ張り装置若しくはロープ滑車装置はロープ引っ張り力測定装置を含んでおり、かつつかみ車は位置測定装置を含んでいる。このような構成により、つかみ車は、ドア開放装置の最適な位置若しくは高さを得るために必要な部位に正確に止めることができる。つかみ車のスタート位置は、ドア重量に対する予め規定されたパーセントを達成するロープ引っ張り力によって規定される。有利にはロープ引っ張り力は、つかみ車のスタート位置をドアの全重量の８０パーセントに設定するように規定される。
【００１９】
つかみ車の駆動装置は、有利にはロープウインチによって形成されており、ロープウインチは中央の位置にあるコークス炉列の端部に配置されている。このような構成により、すべてのコークス炉のために１つのロープ引っ張り駆動装置で十分である。ロープウインチは任意の装置によって駆動することができる。例えば、電動モータ、内燃機関若しくは液圧装置である。さらに引っ張りロープは、該引っ張りロープが歯車の歯と係合するチェーンである場合には、ロープウインチの代わりに、歯車装置を用いて駆動されてよい。もちろん複数のつかみ車は、コークス炉ドアの上方に位置するレールに沿って互いに依存して若しくは互いに独立して走行させられてよい。ロープの引っ張り駆動若しくは引っ張り力逃がしの可能な駆動装置はすべて適している。
【００２０】
開かれたドア位置での引っ張りロープの引っ張り負荷を過度に大きくならないようにするために、有利にはドアに拘束装置を取り付けてあり、拘束装置はドアを、開いた位置に保持（拘束）することができる。ドアの開放の後に、拘束装置は閉じられ、その結果、ドアは拘束装置によって、開かれた位置に拘束される。拘束装置は、例えば掛け金、アイ若しくはヒンジであってよい。もちろん拘束装置は、開かれた位置における拘束若しくは保持を達成するために、任意に形成することができる。
【００２１】
コークス炉ドアは、本発明に係る装置により開放できるように任意に形成することができる。この場合に、コークス炉ドアはレール内に支え、若しくはレール上に支えることができる。コークス炉ドアは開放工程に際してレール内を、開かれた位置へ案内され、若しくはレール上を、開かれた位置へ案内される。ドアの数も任意である。例として、炉当たり２つのドアにおいて、各ドアに本発明に係る開放装置を取り付けることが可能である。炉当たり２つのドアにおいて、一方のドアのみに本発明に係る開放装置を取り付けることも可能である。
【００２２】
本発明に係る、コークス炉列の運転のための方法によれば、
ドア開放機構の作動に際して、押圧ピン、ひいては操作レバーは、予め規定された１つのコークス炉のために作動され、
グリップ突起部を備えたつかみ車は、ロープ滑車装置によって、引っ張りアイを備えた操作レバーを介して走行させられ、
引っ張りアイはスナップインされ、かつつかみ車によって、これに結合されたチェーン及びループは引っ張られ、その結果、コークス炉ドアは開かれ、
炉ドアは閉じた位置で押圧ピンの後ろ側にスナップインされ、次いで
操作レバーは押圧ピンの非作動によりコークス炉ドアの閉鎖のために再び解放される。
【００２３】
上記駆動機構を用いることにより、コークス炉の炉ドアを開放し、かつ閉鎖することができる。ドア開放は、乾溜スケジュールが最適に設定され、かつ乾溜サイクル及び清掃工程が最適に制御されるように、時間的に制御されると有利である。押圧ピンの時間的に正確な操作により、つかみ車は、必要な時点で正確に引っ張りアイ内に入り込んで、引っ張り機構を作動させることができる。
【００２４】
個別のコークス炉ドアの時間的な制御は、手動で若しくは自動的に行うことができ、自動的に行う場合には、電子制御を用いることができる。このために、プログラム可能な論理制御装置（ＰＬＣ）が適しており、論理制御装置により、正確に制御可能な乾溜スケジュールをセットアップすることができる。このような制御は、コンピューター化されたプロセス処理装置によって行うこともできる。プロセス処理装置のパルスセッチングに応じて、押圧機構は、その結果、つかみ車が相応の位置へ走行して、かつ引っ張りアイがつかみ車のグリップ突起部内に入り込むように作動される。
【００２５】
次に、本発明に係る装置を、３つの図面を用いて説明する。この場合に図面は、本発明に係る装置の構成のための実施の形態を示すものである。
【図面の簡単な説明】
【００２６】
【図１】本発明に係る装置を備える閉じた状態のコークス炉ドアを示す図である。
【図２】開放動作中のコークス炉ドアを示す図である。
【図３】開いた状態のコークス炉ドアを示す図である。
【００２７】
図１は、閉じた状態のコークス炉ドアを示しており、コークス炉ドアは、コークス炉ドアの開閉のための本発明に係る装置を備えている。コークス炉（１）は、１つのコークス炉ドア（２）によって閉じられ、コークス炉ドアは保持装置（３）又は保持アームを介して懸架のためのロープ（４）又はチェーンに結合されている。チェーンを引き上げることにより、ドア（２）は、開かれた位置（開放位置）に持ち上げられる。転向ローラ（５）は、垂直方向に延びる上記引っ張り部材を水平方向へ転向させるようになっている。チェーンは、端部で操作レバー（６）に結合されており、該操作レバーには引っ張りアイ（６ａ）が取り付けられている。操作レバー（６）は、押圧ピン（７）を介して操作されるようになっている。押圧ピン（７）は、転向ローラ（５）が取り付けられているレールに配置されている。上記操作ピンは、例えばレバー（７ａ）を介して操作され、若しくは自動的に駆動可能な装置を介して操作されるようになっている。操作レバーの上方につかみ車８を配置してあり、該つかみ車はレール（９）上に支承されている。つかみ車（８）は、グリップ突起部（８ａ）を有しており、該グリップ突起部（グリップカム）は引っ張りアイ（６ａ）内に係合するようになっている。つかみ車は、ロープ式滑車装置又はロープウインチ（１０）を介して作動されるようになっている。ドアには拘束機構（１１）が設けられており、該拘束機構により、ドアはレバー若しくは自動式の装置（１１ａ）を介して、開かれた位置で拘束される。
【００２８】
図２は、本発明に係る装置を有するコークス炉ドアを示しており、コークス炉ドアは、開放のためにチェーン（４）を介して、引っ張りアイ（６ａ）に係合するつかみ車（８）によって開放位置へ引っ張られているところである。このために、操作レバー（６）は、押圧ピンを介してレール（７）に沿って、開放のために適した位置へ移動させられる。
【００２９】
図３は、コークス炉ドア（２）を開放された位置で示している。ロープ滑車装置（１０）を介して操作可能なつかみ車（８）は、ドアを、開放された位置に持ち上げている。操作レバー（６）は、押圧ピン（７）の後ろに移動させられており、その結果、つかみ車（８）は引っ張りアイ（６ａ）のそばを通過することができる。ドア（２）は、付加的に拘束機構（１１）を介して、開放された位置で拘束されている。
【符号の説明】
【００３０】
１  コークス炉、  ２  コークス炉ドア、  ３  保持装置、  ４  ロープ若しくはチェーン、  ５  転向ローラ、  ６  操作機構、  ６ａ  引っ張りアイ、  ７  押圧ピン、  ７ａ  押圧ピンのためのレバー、  ８  つかみ車、  ８ａ  引っ張りアイ、  ９  レール、  １０  つかみ車のためのロープ滑車装置、  １１  拘束機構、  １１ａ  拘束機構のためのレバー、  １２  コークス炉ドアのための案内レール、  １３  コークスケーキ
【図１】
0005517948.tif 000002
【図２】
0005517948.tif 000003
【図３】
0005517948.tif 000004